(57)【要約】【課題】スティック状態とハンディ状態のいずれであっても充電可能な電気掃除機の充電台を提供する。【解決手段】床面に載置されるベース部７１と、ベース部７１から立ち上がるスタンド部７２と、スタンド部７２に連結される延長部材８０と、を備え、スタンド部７２は、電気掃除機１００をハンディ状態で充電する第１充電端子を有し、延長部材８０は、電気掃除機１００をスティック状態で充電する第２充電端子８３を有する。延長部材８０は、第１充電端子と第２充電端子８３とを電気的に接続する中継端子を有する。【選択図】図１
2018126396.tif 000002
【特許請求の範囲】
【請求項１】
床面に載置されるベース部と、
前記ベース部から立ち上がるスタンド部と、
前記スタンド部に連結される延長部材と、を備え、
前記スタンド部は、電気掃除機をハンディ状態で充電する第１充電端子を有し、
前記延長部材は、電気掃除機をスティック状態で充電する第２充電端子を有することを特徴とする電気掃除機の充電台。
【請求項２】
前記延長部材は、前記第１充電端子と前記第２充電端子とを電気的に接続する中継端子を有することを特徴とする請求項１に記載の電気掃除機の充電台。
【請求項３】
前記スタンド部は、前記延長部材を着脱可能に連結する連結保持部を有し、
前記連結保持部は、前記第１充電端子と前記中継端子との電気的な接続を解除した状態で、前記延長部材を保持可能であることを特徴とする請求項２に記載の電気掃除機の充電台。
【請求項４】
前記ベース部は、前記スタンド部を挟んで当該ベース部とは反対側に設けられる延出部を有し、
前記延出部は、前記電気掃除機に着脱して使用する応用吸口体を保管する吸口保管部を備えることを特徴とする請求項１から請求項３のいずれか１項に記載の電気掃除機の充電台。
【請求項５】
前記延長部材は、前記電気掃除機に着脱して使用する延長ホースを保持する延長ホース保持部を有することを特徴とする請求項１から請求項４のいずれか１項に記載の電気掃除機の充電台。
【請求項６】
前記延長部材は、金属製のパイプを有することを特徴とする請求項１から請求項５のいずれか１項に記載の電気掃除機の充電台。
【請求項７】
前記パイプは、円形であることを特徴とする請求項６に記載の電気掃除機の充電台。
【請求項８】
床面に載置されるベース部と、
前記ベース部から立ち上がるスタンド部と、を備え、
前記スタンド部は、電気掃除機をハンディ状態で充電する第１充電端子と、電気掃除機をスティック状態で充電する第２充電端子を有することを特徴とする電気掃除機の充電台。
【発明の詳細な説明】
【技術分野】
【０００１】
本発明は、電気掃除機の充電台に関する。
【背景技術】
【０００２】
特許文献１には、コードレスタイプの電気掃除機と、その電気掃除機を立てた状態で充電可能な充電台が記載されている。
【先行技術文献】
【特許文献】
【０００３】
【特許文献１】特開２０１６−１３７１６５号公報
【発明の概要】
【発明が解決しようとする課題】
【０００４】
ところで、特許文献１に記載の電気掃除機は、スティック状態で使用する場合、電気掃除機の重心が手元よりも先に位置する。このため、例えば掃除機本体の先を上向きにして掃除する際に、手に負担が掛かり易くなる。一方、重心の位置を手元の位置にした電気掃除機が種々提案されている。この種の電気掃除機は、掃除器本体の先に延長パイプを取り付けることでスティック状態として使用でき、掃除機本体から延長パイプを取り外すことでハンディ状態として使用できるものである。仮に、このような電気掃除機を立てた状態で充電する場合、充電端子の高さ位置がスティック状態とハンディ状態とで変わることになる。
【０００５】
本発明は、スティック状態とハンディ状態のいずれであっても充電可能な電気掃除機の充電台を提供することを目的とする。
【課題を解決するための手段】
【０００６】
本発明は、床面に載置されるベース部と、前記ベース部から立ち上がるスタンド部と、前記スタンド部に連結される延長部材と、を備え、前記スタンド部は、電気掃除機をハンディ状態で充電する第１充電端子を有し、前記延長部材は、電気掃除機をスティック状態で充電する第２充電端子を有することを特徴とする。
【発明の効果】
【０００７】
本発明によれば、スティック状態とハンディ状態のいずれであっても充電可能な電気掃除機の充電台を提供できる。
【図面の簡単な説明】
【０００８】
【図１】本実施形態の充電台に電気掃除機を取り付けた場合を示し、（ａ）はスティック状態、（ｂ）はハンディ状態である。
【図２】電気掃除機の分解斜視図である。
【図３】電気掃除機の斜視図である。
【図４】電気掃除機の縦断面図である。
【図５】電気掃除機の排気口が第１の状態である場合を示し、（ａ）側面図、（ｂ）は（ａ）のＡ−Ａ線断面図である。
【図６】図５のＢ−Ｂ線断面図である。
【図７】電気掃除機の排気口が第２の状態を示し、（ａ）側面図、（ｂ）は（ａ）のＣ−Ｃ線断面図である。
【図８】電気掃除機の排気口が第３の状態を示し、（ａ）側面図、（ｂ）は（ａ）のＤ−Ｄ線断面図である。
【図９】電気掃除機の充電台を示す斜視図である。
【図１０】電気掃除機の充電台を示す平面図である。
【図１１】電気掃除機の充電台から延長部材を取り外した状態を示す斜視図である。
【図１２】電気掃除機の充電台を示す分解斜視図である。
【図１３】電気掃除機の充電台の第１充電端子を示す拡大斜視図である。
【図１４】充電台の第１充電端子と接続される電気掃除機の本端端子部をダストケース側から見上げた状態を示す斜視図である。
【図１５】電気掃除機の充電台を示す分解斜視図である。
【図１６】電気掃除機の充電台を示す側面図である。
【図１７】電気掃除機をスティック状態で充電台に取り付けたときの側面図である。
【図１８】電気掃除機をハンディ状態で充電台に取り付けたときの側面図である。
【図１９】本体端子部と第１充電端子との接続状態を示す断面図である。
【図２０】スティック状態の電気掃除機で床面を掃除するときの使用形態図である。
【図２１】スティック状態の電気掃除機で高い場所を掃除するときの使用形態図である。
【図２２】開閉部材を取り付けた標準吸口を示す断面図を示し、（ａ）は前進時、（ｂ）は壁突き当たり時、（ｃ）は後進時である。
【図２３】各種の応用吸口体を示し、（ａ）隙間吸口を示す斜視図、（ｂ）は小型吸口を示す斜視図、（ｃ）はほうき型吸口を示す斜視図、（ｄ）は（ｃ）の平面図である。
【図２４】小型吸口の断面図を示し、（ａ）は前進時、（ｂ）は後進時である。
【図２５】延長ホースを示す斜視図である。
【図２６】（ａ）は延長ホースを含む各種の応用吸口体を取り付けた状態を示す正面図、（ｂ）は延長ホースを除いた各種の応用吸口体を取り付けた状態を示す側面図である。
【図２７】延長ホースの使用状態を示し、（ａ）は本実施形態のハンドル部を備えた電気掃除機、（ｂ）は比較例のハンドル部を備えた電気掃除機である。
【図２８】変形例に係る隙間吸口を示し、（ａ）は斜視図、（ｂ）は平面図、（ｃ）は側面図である。
【図２９】変形例に係る隙間吸口を示す分解斜視図である。
【図３０】図２８（ｂ）のＥ−Ｅ線断面図である。
【図３１】図２８（ｂ）のＦ−Ｆ線断面図である。
【図３２】図２８（ｃ）のＧ−Ｇ線断面図である。
【図３３】他の変形例に係る隙間吸口を電気掃除機に取り付けた状態を示す側面図である。
【図３４】図３３のＨ−Ｈ線断面図である。
【発明を実施するための形態】
【０００９】
以下、本発明を実施するための形態（以下「実施形態」という）について、適宜図面を参照しながら詳細に説明する。
図１は、本実施形態の充電台に電気掃除機を取り付けた場合を示し、（ａ）はスティック状態、（ｂ）はハンディ状態である。
図１（ａ）は、電気掃除機１００の充電台７０に、電気掃除機１００をスティック状態で立てて充電している状態である。電気掃除機１００の先端には延長管３００が接続され、延長管３００の先には標準吸口４００が接続されている。なお、標準吸口４００は、モータによってブラシが回転するパワーブラシ式のものである。
【００１０】
また、図１（ｂ）は、電気掃除機１００の充電台７０に、電気掃除機１００をハンディ状態で立てて充電した状態である。この場合には、電気掃除機１００の先端から延長管３００を取り外し、電気掃除機１００の先に標準吸口４００を直接取り付ける。なお、図１（ｂ）では、電気掃除機１００に標準吸口４００を直接に取り付けた使用状態を図示しているが、電気掃除機１００に標準吸口４００を取り付けない状態で使用することもできる。
【００１１】
また、図１（ｂ）の充電台７０では、延長部材８０が向きを変えて取り付けられることで、電気掃除機１００をハンディ状態で充電することができる。
【００１２】
図２は、電気掃除機を示す分解斜視図である。なお、図２において示す方向は、電気掃除機１００の向きを示している。
図２に示すように、電気掃除機１００は、掃除機本体１、ダストケース２（集塵装置）および蓄電池３を備えて構成されている。
【００１３】
掃除機本体１は、本体部１０、モータケース部１１、ハンドル部１２を備えて構成されている。
【００１４】
本体部１０は、延長管３００（図１（ａ）参照）や標準吸口４００が接続される接続口１０ａが形成されている。また、本体部１０には、ダストケース２が着脱自在に取り付けられるとともに、接続口１０ａから吸い込まれた塵挨を含む空気をダストケース２に送り込む導入管１４を備えている。
【００１５】
モータケース部１１には、電動送風機４０（図４参照）と本体基板５０（図４参照）が内包されている。また、モータケース部１１の前面には、ダストケース２で集塵された後の清浄な空気が吸い込まれる円形の吸込口１１ａが形成されている。また、モータケース部１１の前面には、吸込口１１ａより下部に、充電台７０（図１（ａ），（ｂ）参照）と接続される本体端子部１７が設けられている。
【００１６】
ハンドル部１２は、本体部１０の後方に設けられ、略Ｌ字状に形成された把持部１２ａを有している。把持部１２ａは、前後方向に直線状に延びる第１把持部１２ａ１と、略上下方向に直線状に延びる第２把持部１２ａ２と、を有している。第１把持部１２ａ１は、第２把持部１２ａ２よりも上部に配置されている。第２把持部１２ａ２は、上下方向に対して上部が前方に向くように傾斜している。また、第１把持部１２ａ１と第２把持部１２ａ２は略棒状かつ連続して形成されている。このように、第１把持部１２ａ１と第２把持部１２ａ２とをそれぞれ直線状に構成することで、使用者が持ち手の位置を認識し易くなる。
【００１７】
また、ハンドル部１２には、蓄電池３（電池ケース）をロックするための蓄電池ロック部材１３が設けられている。この蓄電池ロック部材１３は、略Ｌ字状に形成された板状であり、一端がハンドル部１２に回動自在に連結されている。
【００１８】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００１９】
本体部１０の前端には、延長管３００（図１（ａ）参照）や標準吸口４００（図１(ｂ)参照）を取り外す際に操作される解除ボタン１８が設けられている。この解除ボタン１８を押下操作することで延長管３００、標準吸口４００の取り外しが可能となる。
【００２０】
また、本体部１０の前端には、回転式のブラシ９０が取り付けられている。このブラシ９０は、接続口１０ａの外面に凹凸嵌合して固定される略円弧形状の固定ベース９０ａと、この固定ベース９０ａに回動自在に連結される回転部９０ｂと、この回転部９０ｂに植設される刷毛部９０ｃとを有して構成されている。刷毛部９０ｃは、収納時には後ろ向きで、使用時には前向きに回動するように構成されている。
【００２１】
ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂが形成されている。この流入口２ｂに流入した塵挨を含む空気は、ダストケース２内で塵挨と空気とに分離された後、塵埃が分離された空気がダストケース２の後部（背面）から排出される。
【００２２】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００２３】
図３は、電気掃除機を示す斜視図である。
図３に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがあるが、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００２４】
また、ダストケース２には、お手入れブラシ２ｓが着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００２５】
図４は、電気掃除機の縦断面図である。
図４に示すように、本体部１０のモータケース部１１には、電動送風機４０が収容されている。モータケース部１１内には、電動送風機４０の下方に、掃除機本体１を制御する本体基板５０（制御基板）が収容されている。
【００２６】
電動送風機４０は、回転駆動軸４０ａが前後方向を向くように横置きに配置されている。また、電動送風機４０から排出された空気は、電動送風機４０の下方に配置された本体基板５０に流れ、本体基板５０を冷却するようになっている。
【００２７】
本体基板５０は、上下に分割して２段に配置され、主に対向する面に部品が実装されている。電動送風機４０から排出された空気のほとんどは、各本体基板５０の対向配置された部品（発熱部品）を冷却するように流れる。
【００２８】
また、電動送風機４０と本体基板５０は、上下方向に重なるように配置されている。このため、前後方向の寸法を短くできる。また、電動送風機４０および本体基板５０は、ハンドル部１２の第１把持部１２ａ１の下方に位置している。これにより、使用者が把持部１２ａ１を握って操作する場合、電気掃除機１００の重心が第１把持部１２ａ１の下方近傍になるので、電気掃除機１００の先を上向きで使用する場合、電気掃除機１００を安定して保持できる。
【００２９】
また、第１把持部１２ａ１とモータケース部１１の上面１１ｃとの間には、手を挿入するための幅寸法Ｈ１の隙間１２ｃが形成されている。また第２把持部１２ａ２とモータケース部１１の背面１１ｄとの間には、幅寸法Ｈ１よりも広い幅寸法Ｈ２の隙間１２ｄが形成されている。このように、第１把持部１２ａ１を把持して掃除する場合には、腕を伸ばした状態で保持できるので、第１把持部１２ａ１を強く握ることなく、電気掃除機１００を前後に動かすことができる。また、第２把持部１２ａ２を把持して掃除する場合には、隙間１２ｄに手（指）を深く挿入して強く握る必要があるので、幅寸法Ｈ２を幅寸法Ｈ１よりも広くすることで、第２把持部１２ａ２を安定して把持することができる。
【００３０】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００３１】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。
【００３２】
蓄電池ロック部材１３は、自由端側に蓄電池３とロックされる爪部１３ａが形成されている。また、蓄電池ロック部材１３は、蓄電池３の背面を上端から下端まで囲むようにして配置され、蓄電池３の後端下面において爪部１３ａと蓄電池３の下面とがロックされるように構成されている。
【００３３】
このように、蓄電池３を着脱式にすることによって、蓄電池が着脱不可のものに比べて、蓄電池３の交換がし易くなる。また、予備の蓄電池３と、予備の蓄電池３を充電可能な充電ボックスをオプションで用意することで、電気掃除機１００の本体側の蓄電池が消耗した場合に予備の蓄電池３に直ちに交換することで、掃除時間を延長することが可能になる。このように構成することで、例えば、店舗などの広い床面を掃除する場合に有効である。
【００３４】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００３５】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００３６】
図５は、電気掃除機の排気口が第１の状態を示し、（ａ）側面図、（ｂ）は（ａ）のＢ−Ｂ線断面図である。
図５（ａ）に示すように、電気掃除機１００は、吸い込んだ空気を外部に排出する排気口１６を有している。排気口１６は、ダストケース２の上方且つ第１把持部１２ａ１の前方に配置されている。また、排気口１６は、前後方向に沿ってスリット状の長孔１６ａが上下方向に並んで形成されることで構成されている。
【００３７】
排気口１６の外面には、複数本の長孔１６ａを覆うようにルーバ（風路切替部材）１６ｂが取り付けられている。
【００３８】
図５（ｂ）に示すように、排気口１６の長孔１６ａは、略半円形状の壁面１６ｃに左右に分けて形成されている。壁面１６ｃには、左右にそれぞれ５本の長孔１６ａが形成されている。ルーバ１６ｂは、壁面１６ｃに沿って摺動可能に取り付けられている。図５（ｂ）では、ルーバ１６ｂが中央に位置している状態であり、左右の長孔１６ａの一部が露出している。
【００３９】
また、排気口１６は、モータケース部１１と連通して形成され、電動送風機４０からの排気が本体基板５０を冷却した後、長孔１６ａから排出されるように構成されている。ルーバ１６ｂが図５（ａ），（ｂ）の状態では、左右の長孔１６ａから排気されるようになっている。また、排気口１６がハンドル部１２の前方に位置しているので、排気口１６が使用者より前側に位置し易くなるので、使用者に排気が当たるのを低減することが可能になる。
【００４０】
また、ルーバ１６ｂの表面には、外側に突出する突条部１６ｂ１が形成されている。これにより、ルーバ１６ｂを左右に動かす際に、突条部１６ｂ１に指を引掛け易くなり、ルーバ１６ｂを左右に移動させる操作が容易になり、排気の向きの変更を迅速かつ容易に行うことができる。
【００４１】
図６は、図５のＢ−Ｂ線断面図である。
図６に示すように、蓄電池３は、６本の単電池３ａが蓄電池ケース３ｂ内に、上下にそれぞれ３本づつ左右に並んで配置されている。さらに、上段の３本の単電池３ａは、中央の単電池３ａが左右の単電池３ａよりも低い位置に配置され、単電池３ａを軸方向から見たときに単電池３ａの中心を結ぶ線がＶ字状になるように配置されている。また、下段の３本の単電池３ａも同様に、Ｖ字状に配置されている。このように、単電池３ａの軸方向を前後方向に向けることで、単電池３ａの軸方向の向きを左右方向に向けた場合よりも、蓄電池３の幅を狭くできる。また、単電池３ａを上下２段に配置し、かつ、単電池３ａをＶ字状に配置することにより、蓄電池３の幅をさらに狭くできる。このように左右の幅を狭くできることで、掃除中に使用者に蓄電池３が接触するのを低減できる。
【００４２】
このように単電池３ａをＶ字状に配置することによって、蓄電池ケース３ｂの上面に窪み部３ｃが形成される。この窪み部３ｃには引掛スライド部３ｄが形成されている。一方、引掛スライド部３ｄに対向する本体部１０（ハンドル部１２の下方）には、引掛スライド部３ｄをスライド自在に保持するための断面視Ｔ字状のレール部１５が形成されている。
【００４３】
また、蓄電池ケース３ｂの下端には、蓄電池ロック部材１３の爪部１３ａ，１３ａが係止される係止部３ｅ，３ｅが形成されている。このように、デッドスペースに引掛スライド部３ｄを形成することで、空間を有効に利用することができ、蓄電池３の高さ寸法を低く抑えることができる。
【００４４】
図７は、電気掃除機の排気口が第２の状態を示し、（ａ）側面図、（ｂ）は（ａ）のＣ−Ｃ線断面図である。
図７（ａ）に示すように、電気掃除機１００のルーバ１６ｂは、壁面１６ｃに沿って右側（一方）に移動して、左側のすべての長孔１６ａが開放している。
【００４５】
図７（ｂ）に示すように、ルーバ１６ｂによって右側の長孔１６ａのすべてが閉じられ、左側の長孔１６ａのすべて開放している。これにより、電動送風機４０からの排気すべてが、左側の長孔１６ａから排出される。これにより、使用者が左手でハンドル部１２を握って、使用者の左側に電気掃除機１００を配置した場合、排気が使用者に当たるのを防止できる。
【００４６】
図８は、電気掃除機の排気口が第３の状態を示し、（ａ）側面図、（ｂ）は（ａ）のＤ−Ｄ線断面図である。
図８（ａ）に示すように、電気掃除機１００のルーバ１６ｂは、壁面１６ｃに沿って左側（他方）に移動して、左側のすべての長孔１６ａが閉じられている。
【００４７】
図８（ｂ）に示すように、ルーバ１６ｂによって右側の長孔１６ａのすべてが開放している。これにより、電動送風機４０からの排気すべてが右側の長孔１６ａから排出される。これにより、使用者が右手でハンドル部１２を握って、使用者の右側に電気掃除機１００を配置した場合、排気が使用者に当たるのを防止できる。
【００４８】
このように、本実施形態の排気口１６では、排気の左右の向きを自由に変更できるので、使用者が右利きの場合でも左利きの場合でも、排気が直接使用者に当たるのを防止できる。
【００４９】
このように構成された電気掃除機１００では、使用者が、ハンドル部１２に設けられた操作ボタン１２ｂ（図３参照）を操作して運転を開始すると、電動送風機４０（図４参照）には蓄電池３（図３参照）から給電される。そして、電動送風機４０が駆動して空気を吸い込む。吸い込んだ空気は、導入管１４（図２参照）を経て、流入口２ｂ（図２参照）を介してダストケース２内に流入する。そして、流入した塵埃を含む空気は、旋回流となり、塵埃に遠心力が働き、塵埃と空気は分離される。そして、空気はフィルタ５を通過し、電動送風機４０、本体基板５０（図４参照）を通り、排気口１６（図５（ａ）参照）から掃除機本体１の外部に排気される。
【００５０】
図９は、電気掃除機の充電台を示す斜視図である。なお、図９に示す充電台７０は、電気掃除機１００およびすべての応用吸口体（付属品）を取り外した状態である。
図９に示すように、充電台７０は、ベース部７１とスタンド部７２と延長部材８０とを備えて構成されている。
【００５１】
ベース部７１は、標準吸口４００（図１参照）が載置される略矩形状の載置面７１ａを有している。また、ベース部７１は、幅方向（左右方向）の中央に、後方に延びる延出部７１ｂを有している。この延出部７１ｂの左右の側方には、後記する応用吸口体を取り付けて保管しておく側部保管部７１ｃ，７１ｄが設けられている。
【００５２】
図１０は、電気掃除機の充電台を示す平面図である。なお、図１０は、充電台７０を鉛直上方から見下ろしたときの状態を示している。
図１０に示すように、右側の側部保管部７１ｃは、延出部７１ｂから右側方に延出して床面と接する台座部７１ｃ１と、この台座部７１ｃ１の上面から上方に向けて突出する円柱形状の突起部７１ｃ２と、を有して構成されている。左側の側部保管部７１ｄは、延出部７１ｂから左側方に延出して床面と接する台座部７１ｄ１と、この台座部７１ｄ１の上面から上方に向けて突出する円柱形状の突起部７１ｄ２と、を有して構成されている。
【００５３】
また、延出部７１ｂには、後方に向けて延出する延出部７１ｅがベース部７１と一体に形成されている。この延出部７１ｅは、電気掃除機１００の充電時に、電気掃除機１００が後方に倒れ込むのを防止する機能を有する。また、延出部７１ｅは、床面と接する台座部７１ｅ１と、この台座部７１ｅ１の上面から上方に向けて突出する円柱形状の吸口保管部７１ｅ２と、を有している。また、台座部７１ｅ１は、左右方向に延出して幅広に構成されている。また、台座部７１ｅ１の左右方向の両端は、前記した台座部７１ｃ１，７１ｄ１の先端よりも内側に位置している（図１０参照）。このように、延出部７１ｅは、電気掃除機１００の倒れ込みを防止する機能だけではなく、応用吸口体を取り付けて保管しておく保管機能も有している。
【００５４】
図１１は、電気掃除機の充電台から延長部材を取り外した状態を示す斜視図である。
図１１に示すように、スタンド部７２は、延出部７１ｂの後端部から鉛直方向（上下方向）上向きに延在している。また、スタンド部７２は、上下方向の中央より上部が下部よりも前後方向に厚みを持って形成されている。
【００５５】
スタンド部７２の上面７２ａには、ハンディ状態の電気掃除機１００（図１（ｂ）参照）を充電する際に使用される第１充電端子７３が設けられている。第１充電端子７３は、掃除機本体１（図２参照）と電気的に接続される。また、第１充電端子７３は、蓄電池３を充電する端子であり、スタンド部７２の上面７２ａから鉛直方向の上方に向けて突出して形成されている。
【００５６】
図１２は、電気掃除機の充電台の分解斜視図である。
図１２に示すように、充電台７０は、スタンド部７２がベース部７１に対し着脱自在に構成されている。なお、ベース部７１とスタンド部７２は着脱自在でなくてもよいが、収納性・梱包性を高めるため、着脱自在であることが望ましい。
【００５７】
ベース部７１は、後面には電源コード７６を備え、内部に充電基板７４を有する。また、ベース部７１の内部には、おもり７５が設けられ、充電台７０に電気掃除機１００を装着したときに充電台７０が倒れにくくなっている。
【００５８】
スタンド部７２には接続ピン７２ｂが設けられ、ベース部７１には接続ピン７２ｂを受ける接続端子７１ｆが設けられ、ベース部７１にスタンド部７２を装着することで、接続ピン７２ｂが接続端子７１ｆと電気的に接続される。なお、接続ピン７２ｂと第１充電端子７３とは、図示しない電線を介して接続されている。
【００５９】
図１３は、電気掃除機の充電台の第１充電端子を示す拡大斜視図である。
図１３に示すように、第１充電端子７３は、スタンド部７２の上面７２ａから上方に突出する略直方体形状の端子台７３ａを有している。この端子台７３ａは、左右方向に細長く形成されている。また、端子台７３ａには、左右両端において、前面および上面が開放するように切り欠かれた凹部７３ｂ、７３ｂが形成されている。各凹部７３ｂ内には、端子７３ｃが設けられている。端子７３ｃは、スタンド部７２内においてねじ固定されている。
【００６０】
端子台７３ａには、端子７３ｃと端子７３ｃとの間に、前面および上面が開放するように切り欠かれた略直方体形状の凹み部７３ｄ，７３ｄが形成されている。
【００６１】
端子７３ｃは、細長い金属板を折り曲げることで構成され、凹部７３ｂ内において前後方向に撓み変形するように配置されている。また、端子７３ｃは、前記した接続ピン７２ｂとリード線（図示せず）を介して電気的に接続されている。
【００６２】
図１４は、充電台の第１充電端子と接続される電気掃除機の本端端子部をダストケース側から見上げた状態を示す斜視図である。
図１４に示すように、掃除機本体１の本体端子部１７には、充電台７０の端子台７３ａ（図１３参照）が嵌合する嵌合凹部１７ａが形成されている。嵌合凹部１７ａ内には、充電台７０の端子７３ｃ（図１３参照）と接続される本体端子１７ｂが配置されている。この本体端子１７ｂは、蓄電池３（図３参照）と電線を介して電気的に接続されている。また、嵌合凹部１７ａ内には、充電台７０の凹み部７３ｄ（図１３参照）と嵌合する嵌合突起１７ｃが形成されている。
【００６３】
図１５は、電気掃除機の充電台を示す分解斜視図である。
図１５に示すように、延長部材８０は、電気掃除機１００（図１（ａ）参照）をスティック状態で充電する場合に使用するものであり、パイプ８１と、中継端子８２と、第２充電端子８３と、を有して構成されている。
【００６４】
パイプ８１は、意匠面等から、例えば、アルミ合金など軽量のもので構成され、軸方向の途中に中継端子８２を保持している。また、パイプ８１は、軸方向の上端に第２充電端子８３を保持している。パイプ８１を金属製にすることで、充電台７０を外観上スリムに見せることができ、延長部材８０を製造する際に大きな金型が不要になる。なお、パイプ８１は、金属製に限定されず、合成樹脂製であってもよい。
【００６５】
また、パイプ８１は、中継端子８２から下側に突出する連結部８１ｓが、スタンド部７２に一体に形成された連結保持部７２ｃに連結される。連結保持部７２ｃは、軸方向に細長い筒状に形成され、上面７２ａにパイプ８１の連結部８１ｓが挿入される挿入穴７２ｃ１が形成されている。この連結保持部７２ｃは、連結部８１ｓの全体を収容できる長さに形成されている。
【００６６】
中継端子８２は、合成樹脂などで形成され、第１充電端子７３と連結される連結端子部８２ａと、連結端子部８２ａをパイプ８１に保持させる保持部材８２ｂと、延長管３００を保持する延長管保持部８２ｃと、延長ホース８００（図２５参照）を保持する延長ホース保持部８２ｄと、を有している。
【００６７】
連結端子部８２ａは、パイプ８１の軸方向に直交する方向に突出して形成され、下面に第１充電端子７３と接続される端子部が形成されている。この端子部は、図示していないが、図１４で示した本体端子部１７と同様に構成されている。
【００６８】
保持部材８２ｂは、連結端子部８２ａに向けて延びるフランジ８２ｂ１と、このフランジ８２ｂ１から上方に向けて側面視円錐台状に形成されるとともにパイプ８１に固定される筒体８２ｂ２と、を有している。
【００６９】
このように、中継端子８２は、パイプ８１を連結保持部７２ｃに挿入して取り付けたときに、連結端子部８２ａと第１充電端子７３とが連結され、電気的に接続されるように構成されている。
【００７０】
延長管保持部８２ｃは、連結端子部８２ａの前面に形成され、延長管３００（図１（ａ）参照）を左右両側から挟み込んで保持する一対の保持片８２ｃ１，８２ｃ１を有している。一対の保持片８２ｃ１，８２ｃ１は、撓み変形可能に構成され、延長管３００（図１（ａ）参照）を隙間８２ｃ２から押し込むことで、延長管３００を保持片８２ｃ１，８２ｃ１に保持させることができる。
【００７１】
延長ホース保持部８２ｄは、後記する延長ホース８００（図２５参照）を保管しておく際に利用されるものであり、前部保持片８２ｄ１と、下部保持片８２ｄ２と、を有している。
【００７２】
前部保持片８２ｄ１は、パイプ８１側とで挟んで保持する板状のものであり、連結端子部８２ａの上面に、上方に向けて突出して形成されている。また、前部保持片８２ｄ１の先端（上端）は、パイプ８１側に向けて屈曲して形成されている。
【００７３】
下部保持片８２ｄ２は、延長ホース８００の下部を支持するものであり、連結端子部８２ａから筒体８２ｂ２までに渡って形成される下部支持部８２ｄ２を有している。また、下部保持片８２ｄ２は、連結端子部８２ａと保持部材８２ｂとを連結して、中継端子８２の強度を向上させている。
【００７４】
第２充電端子８３は、第１充電端子７３と同様の構成であり、スティック状態の電気掃除機１００（図１（ａ）参照）を立てた状態で充電可能にするものである。また、第２充電端子８３は、パイプ８１の上端に保持される保持部８３ａを有している。この保持部８３ａの上面８３ａ１に第２充電端子８３が上向きに形成されている。
【００７５】
また、保持部８３ａの前面には、電気掃除機１００のダストケース２の周面を受けて、電気掃除機１００のぐらつきを抑える抑え部８３ｂが形成されている。この抑え部８３ｂの前面は、左右に広がりながら前方に向けて湾曲して形成されている。
【００７６】
図１６は、電気掃除機の充電台を示す側面図である。
図１６に示すように、充電台７０は、中継端子８２の連結端子部８２ａを前側に向けた状態で、パイプ８１を連結保持部７２ｃに上方から挿入する。そして、中継端子８２より下部のパイプ８１の連結部８１ｓ（図１５参照）が連結保持部７２ｃに挿入されると、第１充電端子７３（図１５参照）が中継端子８２に嵌合し、第１充電端子７３と中継端子８２とが電気的に接続される。また、中継端子８２は、第２充電端子８３とパイプ８１内に通された電線（不図示）を介して電気的に接続されている。
【００７７】
このとき、図１６の側面視において、連結保持部７２ｃの背面（後面）の位置と、延長部材８０の背面（後面）の位置とが略一致している。また、延出部７１ｅは、図１６の側面視において、連結保持部７２ｃおよび延長部材８０よりも後方に突出するようにして構成されている。
【００７８】
また、保持部８３ａの上面８３ａ１は、前方に向けて下降するように若干傾斜している。また、第２充電端子８３は、上面８３ａ１の傾斜に沿って傾斜して配置されている。
【００７９】
図１７は、電気掃除機をスティック状態で充電台に取り付けたときの側面図である。なお、図１７の方向矢印は、充電台７０の向きを示している（図１８も同様）。
図１７に示すように、電気掃除機１００は、スティック状態において、第２充電端子８３と接続されることで充電される。このとき、使用者は、ハンドル部１２を把持しながら延長管３００を下向きにして、掃除機本体１を第２充電端子８３の上方から下降させることによって、第２充電端子８３に本体端子部１７が接続される。このとき、第２充電端子８３が上向きに形成されているので、電気掃除機１００の自重によって、本体端子部１７を第２充電端子８３に確実に接続することができる。
【００８０】
また、ダストケース２が抑え部８３ｂに接し、延長管３００が延長部材８０の延長管保持部８２ｃに保持される。また、標準吸口４００の一部は、ベース部７１の載置面７１ａと接している。これにより、電気掃除機１００の重心が高い状態で充電する場合においても、電気掃除機１００を安定して充電台７０に保持させることができる。
【００８１】
また、スティック状態の電気掃除機１００を充電台７０で充電する場合には、電気掃除機１００が鉛直方向（上下方向）に対して、前方に角度αだけ前傾した姿勢で保持される。このように、電気掃除機１００が前傾姿勢で保持されることで、電気掃除機１００の重心が、電気掃除機１００を直立に保持した場合よりも前寄りになるので、電気掃除機１００が後方へ倒れるのを防止できる。
【００８２】
なお、充電台７０は、電源コード７６を接続せず、蓄電池３の充電を行わない場合でも、電気掃除機１００を収納する際のスタンドとして使用することができる。
【００８３】
図１８は、電気掃除機をハンディ状態で充電台に取り付けたときの側面図である。
図１８に示すように、電気掃除機１００は、ハンディ状態において、第１充電端子７３と接続される。すなわち、図１７に示すスティック状態の電気掃除機１００を充電する状態とは、連結端子部８２ａの向きを後向き（逆向き）にした状態で延長部材８０がスタンド部７２に取り付けられる。すなわち、図１６に示す状態から、第１充電端子７３（図１５参照）と中継端子８２との接続が解除されるまで、延長部材８０を延長上方に引き上げる。そして、延長部材８０を、パイプ８１を軸として中継端子８２が後側を向くように回転させ、上面７２ａと接するまで下降させることで図１８に示す状態となる。
【００８４】
そして、電気掃除機１００から延長管３００を取り外し、電気掃除機１００と標準吸口４００とを直接に接続する。そして、標準吸口４００が接続された電気掃除機１００の本体端子部１７を第１充電端子７３の上方から下降させることにより、第１充電端子７３が本体端子部１７と接続される。このように、本実施形態の充電台７０では、延長部材８０の向きを変えて保管することができ、電気掃除機１００をハンディ状態で充電することも可能になる。また、延長部材８０の充電台７０とは別の場所に保管しておくこともないので使い勝手を向上できる。
【００８５】
なお、延長管３００は、延長部材８０の延長管保持部８２ｃに保持させて保管することができる。このように、延長部材８０を充電台７０の延長管保持部８２ｃに保持させておくことができるので、電気掃除機１００をスティック状態からハンディ状態にする場合には、取り外した延長管３００を延長管保持部８２ｃに迅速に取り付けて保管しておくことができる。また、電気掃除機１００をハンディ状態からスティック状態にする場合には、延長管保持部８２ｃから延長管３００を取り外して電気掃除機１００に迅速に取り付けることができる。また、延長管３００を床面より高い位置に保持できるので、使用者にとっても着脱が容易であり、使い勝手を向上できる。また、延長管３００を充電台７０とは別の場所に保管する必要もないので、使い勝手を向上できる。
【００８６】
図１９は、本体端子部と第１充電端子との接続状態を示す断面図である。
図１９に示すように、第１充電端子７３に本体端子部１７が嵌合する際に、本体端子１７ｄが端子７３ｃに接触し、さらに本体端子１７ｄの縁部１７ｆが下降することで端子７３ｃが後方に撓み変形する。端子７３ｃは、前方に向けて付勢するばね性を有しているので、掃除機本体１が充電台７０に装着されている間は、本体端子１７ｄと端子７３ｃとは接触した状態を維持し、蓄電池３（図３参照）への充電が継続される。
【００８７】
また、第１充電端子７３は、本体端子部１７と凹凸嵌合しているので、例えば、充電中に使用者が掃除機本体１に接触したとしても、本体端子１７ｄと端子７３ｃとの導通状態（接触状態）が解除されることはない。また、第２充電端子８３（図１６参照）を本体端子部１７と接続した場合にも、充電中に使用者が掃除機本体１に接触したとしても、本体端子１７ｄと端子７３ｃとの導通状態（接触状態）が解除されることはない。
【００８８】
このように構成された充電台７０では、第１充電端子７３がスタンド部７２の上面７２ａに形成されているので、第１充電端子７３と本体端子部１７とを合わせるときに、使用者の目線に近い位置にあるので、第１充電端子７３に本体端子部１７を挿入し易くなり、掃除機本体１を充電台７０にセットし易くなる。また、充電台７０では、第２充電端子８３が上面８３ａ１（図１５参照）に形成されているので、第２充電端子８３と本体端子部１７とを合わせるときに、使用者の目線にさらに近い位置となるので、第２充電端子８３に本体端子部１７を挿入し易くなり、掃除機本体１を充電台７０にセットし易くなる。
【００８９】
また、充電台７０では、第１充電端子７３がスタンド部７２の上面７２ａに形成されている。つまり、第１充電端子７３が床面から高い位置に形成されているので、第１充電端子７３にごみが堆積し難くなり、また床面から埃が上がってきて付着することも低減できる。また、充電台７０では、第２充電端子８３が延長部材８０の上面８３ａ１に形成されている。つまり、第２充電端子８３が床面から高い位置に形成されているので、第２充電端子８３にゴミが堆積し難くなり、また床面から埃が上がってきて付着することも低減できる。
【００９０】
また、充電台７０にセットした電気掃除機１００では、電気掃除機１００の重心に近い位置（電動送風機４０および蓄電池３の位置）に第１充電端子７３や第２充電端子８３が位置するので、重心付近を第１充電端子７３、第２充電端子８３が受けることで、充電中において充電台７０に掃除機本体１を安定して保持できる。
【００９１】
また、充電台７０に電気掃除機１００を適用することにより、ダストケース２を取り外した状態で充電できるので、ダストケース２を洗浄、乾燥させている最中であっても充電することができる。
【００９２】
また、電気掃除機１００を充電台７０にハンディ状態にして充電する場合には、標準吸口４００がベース部７１の載置面７１ａに接触しないようになっている（図１８参照）。また、第１充電端子７３が上向きで、本体端子部１７が上方から第１充電端子７３に接続される構成である。これにより、電気掃除機１００の自重を第１充電端子７３に重点的に作用させることができるので、本体端子部１７と第１充電端子７３とを確実に接続することができる。
【００９３】
なお、図示省略しているが、電気掃除機１００をスティック状態で充電する場合にも、図１９と同様な機構によって、電気掃除機１００の本体端子部１７と第２充電端子８３とが接続される。よって、本体端子部１７と第２充電端子８３とが接続される場合にも、第１充電端子７３と本体端子部１７とを接続する場合と同様の効果を得ることができる。
【００９４】
また、充電台７０では、電気掃除機１００に標準吸口４００を接続した状態で充電する場合、ベース部７１の載置面７１ａで支持できるので、電気掃除機１００を、第１充電端子７３と標準吸口４００の２箇所で支持することができ、充電台７０に電気掃除機１００を安定して保持させることができる。
【００９５】
図２０は、スティック状態の電気掃除機で床面を掃除するときの使用形態図である。
図２０に示すように、電気掃除機１００をスティック状態にし、電気掃除機１００を使用者よりも前方に突き出して床面を掃除する場合には、使用者は、ハンドル部１２の第２把持部１２ａ２を把持しながら、電気掃除機１００を前後に移動させる。また、図示していないが、電気掃除機１００を使用者の脇に位置した状態で床面を掃除する場合には、使用者は、ハンドル部１２の第１把持部１２ａ１を把持しながら、電気掃除機１００を前後に移動させる。このように、使用者が床面を掃除する場合には、ハンドル部１２の位置を持ち替えて掃除することができる。
【００９６】
図２１は、スティック状態の電気掃除機で高い場所を掃除するときの使用形態図である。
ところで、スティック状態にしたときに重心が先端側にある電気掃除機（特許文献１参照）では、電気掃除機１００を床面より高い場所で掃除する場合には、使用者が電気掃除機１００の先を上向きに持ち上げる必要があるので手首に負担が掛かり易くなる。
そこで、図２１に示すように、電気掃除機１００の重量物である電動送風機４０（図４参照）や蓄電池３がハンドル部１２に近い位置（手元に近い位置）にあるので、電気掃除機１００の重心Ｇが、使用者の手元に近くなる。これにより、電気掃除機１００をスティック状態にして、電気掃除機１００を床面より高い場所を掃除する場合であっても掃除し易くなり、使い勝手を向上できる。図２１では、階段を掃除する場合を例に挙げて説明したが、電気掃除機１００を持ち上げてエアコンのパネルなどを掃除する場合にも有効である。
【００９７】
次に、電気掃除機１００に接続される各種の応用吸口体について説明する。前記した電気掃除機１００には、付属品として各種の応用吸口体を接続を付け替えて掃除を行うことができる。
図２２は、開閉部材を取り付けた標準吸口を示す断面図を示し、（ａ）は前進時、（ｂ）は壁突き当たり時、（ｃ）は後進時である。なお、図２２では、回転ブラシを駆動するモータや回転ブラシを制御する基板の図示を省略している。
【００９８】
図２２（ａ）に示すように、標準吸口４００は、吸口ケース４０１と、モータ（不図示）で駆動される第１ブラシ４０２と、床面との摩擦によって回転する第２ブラシ４０３と、を有して構成されている。
【００９９】
吸口ケース４０１は、下面が開放するとともに、第１ブラシ４０２および第２ブラシ４０３を収容する空間を有している。第２ブラシ４０３は、第１ブラシ４０２の後方に隙間を開けて配置されている。
【０１００】
また、吸口ケース４０１の前面には、開閉部材４０４が設けられている。開閉部材４０４は、回動軸４０４ａを有している。また、開閉部材４０４は、回動軸４０４ａの軸方向に直交するに延びる突起体４０４ｂと、回動軸４０４ａから突起体４０４ｂとは反対方向に延びる開閉体４０４ｃと、を有している。突起体４０４ｂは、硬質の板状部材で構成されている。開閉体４０４ｃは、前側に刷毛部４０４ｃ１と、後側にゴム製のプレート４０４ｃ２とが前後に重ね合わされて構成されている。
【０１０１】
図２２（ａ）に示すように、標準吸口４００を前進させた場合には、刷毛部４０４ｃ１と床面との摩擦力と、電動送風機４０の吸込力によって、開閉体４０４ｃが反時計回り方向に回動して、吸口ケース４０１の前面下部が開放状態になる。このように開閉体４０４ｃが開放することにより、標準吸口４００の前方に位置する大きなゴミ（塵埃）を吸い込むことが可能になる。
【０１０２】
図２２（ｂ）に示すように、標準吸口４００が壁に突き当たった場合には、まず突起体４０４ｂの先端（上端）が壁に突き当たる。そして、標準吸口４００が壁に向けてさらに押圧されると、このときの押し込み力によって、開閉部材４０４が時計回り方向に回動して開閉体４０４ｃが前向きに動作する。開閉体４０４ｃが前向きに動作することによって、吸口ケース４０１の前面下部の開口４０１ａが閉じられる。このように構成することで、壁際（隅）のゴミを吸い込んで取り除くことができる。また、標準吸口４００を左右方向に動かすことにより、壁際のゴミをさらに確実に取り除くことができる。
【０１０３】
図２２（ｃ）に示すように、標準吸口４００を後進させた場合には、刷毛部４０４ｃ１と床面との摩擦力によって、開閉体４０４ｃが時計回り方向に回動して開閉体４０４ｃが前向きに動作する。これにより、吸込ケース４０１内の静圧が上昇することで、ゴミを確実に吸い込むことができる。
【０１０４】
また、コードレスの電気掃除機１００では、吸込み力が家庭用のコンセントから電力が供給される電気掃除機に比べて弱くなる。このため、標準吸口４００では、前進のときに（図２２（ａ）参照）、吸口ケース４０１の前面（開口４０１ａ）が開放するので、操作力を軽くすることができ、大きなゴミを吸うこともできる。また、後進時（図２２（ｃ）参照）、開閉部材４０４が閉じて、静圧が高まることで例えば絨毯の中の砂ゴミなどをしっかり吸い込むことができる。また、標準吸口４００を、家庭用のコンセントから電力を供給する電気掃除機に接続される吸口よりも小さく構成することで、標準吸口４００からの空気の漏れを少なくでき、また静圧が均等にいきわたり易くなる。
【０１０５】
図２３は、各種の応用吸口体を示し、（ａ）隙間吸口を示す斜視図、（ｂ）は小型吸口を示す斜視図、（ｃ）はほうき型吸口を示す斜視図、（ｄ）は（ｃ）の平面図である。
図２３（ａ）に示すように、隙間吸口５００は、家具の間や、家具と壁の隙間などに溜まったゴミを吸い取るものである。また、隙間吸口５００は、基端に電気掃除機１００に接続される円管状の本体接続口５０１を有し、先端に吸い込み対象物に向けられる幅狭の吸込口５０２を有している。
【０１０６】
図２３（ｂ）に示すように、小型吸口（ミニパワーヘッド）６００は、前記した標準吸口４００を略小型にしたものであり、標準吸口４００で使用する場所と同じ場所を掃除するには精神的に抵抗のある場所（ソファ、寝具など）に適用できる。
【０１０７】
また、小型吸口６００は、標準吸口４００よりも幅狭の吸口ケース６０１と、モータＭ（図２４（ａ）参照）で回転する回転ブラシ６０２と、円筒状のかきとりブラシ６０３（図２４参照）と、を備えている。また、小型吸口６００は、電気掃除機１００と電気的に接続される端子を有する接続口６０４を備えている。
【０１０８】
図２３（ｃ），（ｄ）に示すように、ほうき型吸口７００は、サッシのレール、小物が収納された引き出しの中などを掃除するものであり、ゴミを掃くための刷毛体７０１と、ゴミを吸い込むためのゴム製のチューブ７０２と、を有している。チューブ７０２は、撓み変形可能で、小さな物品を吸い込まない径の吸込口を有している。また、ほうき型吸口７００は、複数のチューブ７０２を備えて、平面視において直線状に配置されるとともに、チューブ７０２の両側に刷毛体７０１を備えて構成されている。
【０１０９】
また、ほうき型吸口７００は、電気掃除機１００に接続される接続口７０３と、刷毛体７０１およびチューブ７０２の向きを変更可能な関節部７０４，７０５と、を有している。
【０１１０】
図２４は、小型吸口の断面図を示し、（ａ）は前進時、（ｂ）は後進時である。なお、図２４は、吸口を幅方向の中央で切断した状態である。また、図２４では、ゴミを○印で模式的に図示している。
図２４（ａ）に示すように、小型吸口６００の吸口ケース６０１は、回転ブラシ６０２およびかきとりブラシ６０３を収容する吸込室６０１ａと、モータＭや基板（不図示）などを収容する収容室６０１ｂとに区画する隔壁６０１ｃを有している。
【０１１１】
回転ブラシ６０２は、軸中心に設けられたコア部材の外周に刷毛が植設されて構成されている。
かきとりブラシ６０３は、断面視略円形であり、軸方向に向けて回転ブラシ６０２と対向する長さに形成されている。また、かきとりブラシ６０３は、回転ブラシ６０２の刷毛と接するように配置されている。また、かきとりブラシ６０３は、いわゆるエチケットブラシを略円筒状に構成したものである。
【０１１２】
図２４（ａ）に示すように、小型吸口６００を前進させた場合には、白抜き矢印Ｗ１０の方向に回転して、所定の位置で回転が規制される。この場合、エチケットブラッチが逆目になることで、かきとりブラシ６０３によって床面からゴミが捕集される。なお、回転ブラシ６０２の回転方向は、白抜き矢印Ｗ１の方向である。
【０１１３】
また、小型吸口６００を後進させた場合には、かきとりブラシ６０３が図２４（ａ）の状態から時計回り方向に９０度回動して（白抜き矢印Ｗ２０参照）、図２４（ｂ）に示す状態に至る。これにより、かきとりブラシ６０３でかきとられたゴミが回転ブラシ６０２によって取り除かれ、掃除機本体１（図２参照）に吸い込まれる。
【０１１４】
このように、小型吸口６００を使用した場合には、静圧を高くできる。これにより、吸込み対象物（絨毯の中の砂ゴミなど）を集中的に吸い込むことができ、またそのようなゴミを取り易くできる。また、小型吸口６００の幅を短くすることで、圧力面積が小さくなるので、操作性を軽くできる。
【０１１５】
図２５は、延長ホースを示す斜視図である。
図２５に示すように、延長ホース８００は、先端に取っ手８０１を備えた吸込口８０２と、基端に掃除機本体１（図２参照）と接続される接続口８０３と、吸込口８０２と接続口８０３とを接続する蛇腹管８０４と、を備えて構成されている。
【０１１６】
また、延長ホース８００の内側には、電線（不図示）が通され、モータＭで動作する回転ブラシ６０２が設けられた小型吸口６００（図２４（ａ）参照）が接続可能に構成されている。
【０１１７】
このような延長ホース８００を掃除機本体１に接続して使用することで、一方の手で掃除機本体１を持ち、もう一方の手で取っ手８０１を持ちながら、小型吸口６００の位置を自由に変えながら掃除が可能になる。これにより、延長ホースの無い電気掃除機に比べて、車内のシートや足元などを掃除することが容易になる。
【０１１８】
図２６（ａ）は、延長ホースを含む各種の応用吸口体を取り付けた状態を示す正面図、（ｂ）は、延長ホースを除く各種の応用吸口体を取り付けた状態を示す側面図である。
図２６（ａ），（ｂ）に示すように、充電台７０には、隙間吸口５００、小型吸口６００、ほうき型吸口７００および延長ホース８００を取り付けることができる。すなわち、隙間吸口５００は、側部保管部７１ｄ（図９参照）に取り付けて保管でき、小型吸口６００は、延出部７１ｅに取り付けて保管でき、ほうき型吸口７００は、側部保管部７１ｃに取り付けて保管できるように構成されている。なお、隙間吸口５００、小型吸口６００、ほうき型吸口７００の位置は、本実施形態に限定されるものではなく、適宜変更することができる。
【０１１９】
また、充電台７０には、延長ホース８００を、前部保持片８２ｄ１とパイプ８１との間に蛇腹管８０４の長さ方向の中央を挟んで保持させることができる。
【０１２０】
このように、充電台７０に各種の応用吸口体としての隙間吸口５００、小型吸口６００、ほうき型吸口７００、延長ホース８００を保管しておくことができる。これにより、隙間吸口５００、小型吸口６００、ほうき型吸口７００、延長ホース８００を部屋の別の場所に収納しておくことなく、迅速に付け替えて使用することができ、使い勝手が向上する。
【０１２１】
図２７は、延長ホースの使用状態を示し、（ａ）は本実施形態のハンドル部を備えた電気掃除機、（ｂ）は比較例のハンドル部を備えた電気掃除機である。
図２７（ｂ）に示す電気掃除機は、掃除機本体１にハンドル部１２０を備えたものである。ハンドル部１２０は、本実施形態のハンドル部１２に第１把持部１２ａ１を設けない構造である。このようなハンドル部１２０を備えた掃除機本体１に延長ホース８１０を接続した場合、掃除機本体１の先端が下側を向いてしまう。このため、図２７（ｂ）に示すように、延長ホース８１０の長さＬ１０が長くなる。
【０１２２】
これに対して、図２７（ａ）に示す本実施形態の電気掃除機１００は、第２把持部１２ａ２に加えて第１把持部１２ａ１を設けたハンドル部１２を備えている。このため、掃除機本体１に延長ホース８００を接続した場合、使用者は、第１把持部１２ａ１を把持することで、掃除機本体１の先端が前方を向く。このため、図２７（ａ）に示すように、延長ホース８００の長さＬ１を図２７（ｂ）の場合よりも短く構成することが可能になる。
【０１２３】
図２８は、変形例に係る隙間吸口を示し、（ａ）は斜視図、（ｂ）は平面図、（ｃ）は側面図である。
図２８（ａ），（ｂ），（ｃ）に示すように、隙間吸口５００Ａは、吸口本体５０３と、導光部材５０４と、カバー部材５０５と、を有している。カバー部材５０５は、軟質材で形成され、吸口本体５０３がごみを吸込む際、対象床面等の傷つきを防止するために設けられる。
【０１２４】
吸口本体５０３は、図２３（ａ）に示す隙間吸口５００と基本的に同様の形状を有している。導光部材５０４は、細長い略板状の部材で構成され、吸口本体５０３の先端側からスライドして取り付けられている。カバー部材５０５は、隙間吸口５００の先端に取り付けられている。
【０１２５】
図２９は、変形例に係る隙間吸口を示す分解斜視図である。
図２９に示すように、隙間吸口５００Ａは、吸口本体５０３の下面に、導光部材５０４を取り付けるための案内レール５０３ａが形成されている。
【０１２６】
導光部材５０４は、導光体５０４ａと、ＬＥＤ５０４ｂと、蓄電池５０４ｃと、蓋体５０４ｄと、を有して構成されている。なお、蓄電池５０４ｃは、一次電池であっても、二次電池でもあってもよい。
【０１２７】
導光体５０４ａは、アクリルなどの透明な樹脂で形成され、吸口本体５０３に沿って細長く形成されている。また、導光体５０４ａは、周壁５０４ｓおよび前壁５０４ｔを有し、略四角柱状に形成されている。また、導光体５０４ａの上面には、案内レール５０３ａに掛止される直線状のスライド溝５０４ｅが形成されている。また、導光体５０４ａの先端上面には、空気の取り入れ量を調整可能なサクションバルブ用の弁体５０４ｆが突出して形成されている。弁体５０４ｆは、軸方向に細長く形成されている。
【０１２８】
スライド溝５０４ｅの軸方向の長さＬ３０は、案内レール５０３ａの軸方向の長さＬ４０よりも長く形成されている。
【０１２９】
図３０は、図２８（ｂ）のＥ−Ｅ線断面図である。
図３０に示すように、案内レール５０３ａは、軸方向から見たときに、逆Ｔ字状に形成されている。
【０１３０】
導光体５０４ａの内部には、スライド溝５０４ｅと連通する空洞部５０４ｇが形成されている。この空洞部５０４ｇは、断面視において略矩形状に形成され、案内レール５０３ａが摺動可能な幅Ｗと、案内レール５０３ａ、ＬＥＤ５０４ｂおよび蓄電池５０４ｃ（図２９参照）を収容可能な高さＨと、を有している。
【０１３１】
図３１は、図２８（ｂ）のＦ−Ｆ線断面図である。
図３１に示すように、空洞部５０４ｇは、軸方向に沿って導光体５０４ａの先端まで形成されている。なお、導光体５０４ａの先端面は閉じた形状である。
【０１３２】
空洞部５０４ｇ内には、導光体５０４ａの基端側の孔からＬＥＤ５０４ｂ、蓄電池５０４ｃの順番で挿入されている。最後に、蓋体５０４ｄによって導光体５０４ａの基端が閉じられ、ロックされている。なお、蓋体５０４ｄは、着脱可能に構成されている。
【０１３３】
図３２は、図３２は、図２８（ｃ）のＧ−Ｇ線断面図である。
図３２に示すように、吸口本体５０３の底面５０３ｂには、前寄りに軸方向（前後方向）に沿って長孔５０３ｃが形成されている。この長孔５０３ｃには導光体５０４ａに形成された弁体５０４ｆが挿通され、弁体５０４ｆが長孔５０３ｃ内を前後方向に摺動するように構成されている。
【０１３４】
このように、長孔５０３ｃと弁体５０４ｆとによってサクションバルブＶが構成されている。サクションバルブＶを設けることにより、外部から電気掃除機１００内に取り込む空気の量を変動させことができる。これにより、吸引力の異なる掃除機であっても、隙間吸口５００Ａを取り付けることが可能になり、汎用性を高めることができる。
【０１３５】
このように構成された隙間吸口５００Ａを組み立てる場合には、導光体５０４ａのスライド溝５０４ｅを案内レール５０３ａに前方から挿し込んで後方へスライドさせる。そして、導光体５０４ａ内にＬＥＤ５０４ｂおよび蓄電池５０４ｃを挿入して、蓋体５０４ｄで導光体５０４ａの後端を閉塞する。そして、カバー部材５０５を吸口本体５０３に取り付けられる。なお、蓋体５０４ｄには、ＬＥＤ５０４ｂをオン／オフする機構が設けられている。
【０１３６】
そして、隙間吸口５００Ａを電気掃除機１００に取り付け、また、隙間吸口５００Ａを取り付けた延長管３００を掃除機本体１に取り付ける。そして、ＬＥＤ５０４ｂの電源をオンにすることでＬＥＤ５０４ｂが発光する。出射された光は、導光体５０４ａの周壁５０４ｓ（図２９および図３１参照）を通りながら前方に伝わり、また前端の前壁５０４ｔ（図２９および図３１参照）に直接に照射される。これにより、奥まった（すき間の）前方を効率よく照らすことができ、塵埃を取り易くできる。
【０１３７】
図３３は、他の変形例に係る隙間吸口を電気掃除機に取り付けた状態を示す側面図、図３４は、図３３のＨ−Ｈ線断面図である。
図３３に示すように、隙間吸口５００Ｂは、導光体５０７を備えている。導光体５０７の基端は、掃除機本体１の接続口１０ａまで延びている。また、掃除機本体１には、導光体５０７の後端面に対向する位置に、ＬＥＤ５０６が設けられている。ＬＥＤ５０６は、蓄電池３から供給されるように構成されている。
【０１３８】
図３４に示すように、隙間吸口５００Ｂは、前記した隙間吸口５００Ａと同様に、案内レール５０３ａ、スライド溝５０４ｅおよび弁体５０４ｆによってサクションバルブＶが構成されている。
【０１３９】
このように、ＬＥＤ５０４ｂを、導光体５０４ａではなく、掃除機本体１に設けた場合でも、掃除機本体１からの光を導光体５０７を介して、奥まった（すき間の）前方に効率よく照射することができ、塵埃を取り易くできる。
【０１４０】
なお、前記した実施形態では、吸口本体５０３が導光体で構成されていない場合を例に挙げて説明したが、吸口本体５０３の全体をアクリルなどの透明な樹脂で形成して、吸口本体５０３に設けられたＬＥＤまたは掃除機本体１に設けられたＬＥＤによって吸口本体５０３を導光させてもよい。
【０１４１】
以上説明したように、本実施形態の電気掃除機の充電台７０は、床面に載置されるベース部７１と、ベース部７１から立ち上がるスタンド部７２と、スタンド部７２に連結される延長部材８０と、を備え、スタンド部７２は、電気掃除機１００をハンディ状態で充電する第１充電端子７３を有し、延長部材８０は、電気掃除機１００をスティック状態で充電する第２充電端子８３を有している。これによれば、電気掃除機１００がスティック状態とハンディ状態で電気掃除機１００の本体端子部１７の高さ位置が変わるものであっても、電気掃除機１００をスティック状態とハンディ状態のいずれでも充電することができる。
【０１４２】
また、本実施形態では、延長部材８０は、第１充電端子７３と第２充電端子８３とを電気的に接続する中継端子８２を有する。これによれば、第１充電端子７３と第２充電端子８３を電源から別々の回路（電線）で構成する必要がなくなるので、回路構成を簡略化できる。また、電気掃除機１００をハンディ状態で使用する場合には、第２充電端子８３を含む延長部材８０から回路から遮断しておくことができる。
【０１４３】
また、本実施形態では、スタンド部７２は、延長部材８０を着脱可能に連結する連結保持部７２ｃを有し、連結保持部７２ｃは、第１充電端子７３と中継端子８２との電気的な接続を解除した状態で、延長部材８０を保持する。これによれば、電気掃除機１００をハンディ状態で充電する場合に、使用しない延長部材８０を保管しておくことができるので使い勝手が向上する。
【０１４４】
また、本実施形態では、ベース部７１は、スタンド部７２を挟んで当該ベース部７１とは反対側に設けられる延出部７１ｅを有し、延出部７１ｅは、電気掃除機１００に着脱して使用する応用吸口体（小型吸口６００）を保管する吸口保管部７１ｅ２を備える。これによれば、延出部７１ｅによって、充電台７０が後方へ倒れ込むのを抑えることができるとともに、応用吸口体を保管しておくこともできる。
【０１４５】
また、本実施形態では、延長部材８０は、電気掃除機１００に着脱して使用する延長ホース８００を保持する延長ホース保持部８２ｄを有する。これによれば、車内などに使用する場合に好適な延長ホース８００を付属品として適用した場合であっても、延長ホース８００を充電台７０に掛けて保管しておくことができ、使い勝手が向上する。
【０１４６】
また、本実施形態では、延長部材８０は、金属製のパイプ８１を有する。これによれば、充電台７０の外観をすっきりと見せることができるとともに延長部材８０の強度を高めることができる。
【０１４７】
また、本実施形態では、パイプ８１は円形である。これによれば、延長部材８０をスタンド部７２から取り外すことなく、延長部材８０の向きを変えることができ、電気掃除機１００をスティック状態での充電とハンディ状態での充電のそれぞれに対応させることができる。
【０１４８】
なお、本発明は、前記した実施形態に限定されるものではなく、様々な変形例が含まれるものである。例えば、第１充電端子７３と第２充電端子８３を中継端子８２を介して電源から１本の回路（配線）で構成するようにしたが、第１充電端子７３と第２充電端子８３の電源からの回路（配線）が別々で構成してもよい。また、応用吸口体を取り付ける数、位置は一例であって、さらに多くの応用吸口体を取り付けられるようにしてもよい。
【０１４９】
また、例えば、第２充電端子８３が設けられている延長部材８０を、第１充電端子７３が設けられている充電台７０と別部品で連結可能な構造とするのではなく、充電台７０に対し伸縮可能とすることや、回動可能とすること、などの着脱可能でない構造としたり、一部品としても良い。
【符号の説明】
【０１５０】
１      掃除機本体
２      ダストケース
３      蓄電池
１０    本体部
４０    電動送風機
５０    本体基板（制御基板）
７０    充電台
７１    ベース部
７１ｅ  延出部
７１ｅ２  吸口保管部
７２    スタンド部
７２ｃ  連結保持部
７３    第１充電端子
８０    延長部材
８１    パイプ
８２    中継端子
８３    第２充電端子
１００  電気掃除機
３００  延長管
４００  標準吸口
５００，５００Ａ，５００Ｂ  隙間吸口（応用吸口体）
６００  小型吸口（応用吸口体）
７００  ほうき型吸口（応用吸口体）
８００  延長ホース（応用吸口体）
【図１】
2018126396.tif 000003
【図２】
2018126396.tif 000004
【図３】
2018126396.tif 000005
【図４】
2018126396.tif 000006
【図５】
2018126396.tif 000007
【図６】
2018126396.tif 000008
【図７】
2018126396.tif 000009
【図８】
2018126396.tif 000010
【図９】
2018126396.tif 000011
【図１０】
2018126396.tif 000012
【図１１】
2018126396.tif 000013
【図１２】
2018126396.tif 000014
【図１３】
2018126396.tif 000015
【図１４】
2018126396.tif 000016
【図１５】
2018126396.tif 000017
【図１６】
2018126396.tif 000018
【図１７】
2018126396.tif 000019
【図１８】
2018126396.tif 000020
【図１９】
2018126396.tif 000021
【図２０】
2018126396.tif 000022
【図２１】
2018126396.tif 000023
【図２２】
2018126396.tif 000024
【図２３】
2018126396.tif 000025
【図２４】
2018126396.tif 000026
【図２５】
2018126396.tif 000027
【図２６】
2018126396.tif 000028
【図２７】
2018126396.tif 000029
【図２８】
2018126396.tif 000030
【図２９】
2018126396.tif 000031
【図３０】
2018126396.tif 000032
【図３１】
2018126396.tif 000033
【図３２】
2018126396.tif 000034
【図３３】
2018126396.tif 000035
【図３４】
2018126396.tif 000036